(57)【要約】【課題】泳動時の動きをより自然なものに近づけることができるソフトルアー及びその製造方法を提供する。【解決手段】表面１３０及び裏面を有するソフトルアー１００であって、所定厚さで形成された内面組織１６０と、内面組織１６０の組織表面に不規則に形成された複数の突起組織１４０と、を含む動物の消化器からなり、表面１３０の少なくとも一部を、複数の突起組織１４０が形成されている状態の内面組織１６０の組織表面とした。【選択図】図２
2018191562.tif 000002
【特許請求の範囲】
【請求項１】
表面及び裏面を有するソフトルアーであって、
所定厚さで形成された内面組織と、前記内面組織の組織表面に不規則に形成された複数の突起組織と、を含む動物の消化器からなり、
前記表面の少なくとも一部を、前記複数の突起組織が形成されている状態の前記内面組織の前記組織表面としたソフトルアー。
【請求項２】
前記動物の消化器は、前記内面組織の組織裏面側に壁本体組織を有し、
前記裏面の少なくとも一部を、前記壁本体組織の露出面とした請求項１に記載のソフトルアー。
【請求項３】
厚肉部と、前記厚肉部と連続的に形成され前記厚肉部より薄い薄肉部と、を備え、
前記厚肉部は、少なくとも前記壁本体組織及び前記内面組織を含んで構成され、
前記薄肉部は、少なくとも前記内面組織及び前記各突起組織を含んで構成され、
前記厚肉部及び前記薄肉部は、少なくとも前記内面組織が連続的に形成されている請求項２に記載のソフトルアー。
【請求項４】
前記各突起組織は、薄膜状に形成される請求項１から３のいずれか１項に記載のソフトルアー。
【請求項５】
前記動物の消化器は、牛の胃である請求項４に記載のソフトルアー。
【請求項６】
前記内面組織及び前記各突起組織は、皮膜が除去されている請求項５に記載のソフトルアー。
【請求項７】
請求項５または６に記載のソフトルアーの製造方法であって、
前記牛の胃の前記皮膜を湯むきによって除去し、前記牛の胃の柔軟性を向上させる柔軟性付与工程と、
前記柔軟性付与工程にて前記皮膜が除去された前記牛の胃を、所定の温度でボイル処理をして耐久性を向上させる耐久性付与工程と、を含むソフトルアーの製造方法。
【請求項８】
前記柔軟性付与工程の後、前記耐久性付与工程の前に、前記皮膜が除去された前記牛の胃に軟化剤を添加する軟化加工工程を含む請求項７に記載のソフトルアーの製造方法。
【請求項９】
前記耐久性付与工程の後、所定の型を用いて前記牛の胃の型抜きを行う型抜き工程と、
前記型抜き工程の後、前記薄肉部の部分の前記壁本体組織の少なくとも一部を除去する薄肉化工程と、を含む請求項７または８に記載のソフトルアーの製造方法。
【発明の詳細な説明】
【技術分野】
【０００１】
本発明は、ソフトルアー及びその製造方法に関する。
【背景技術】
【０００２】
従来から釣りの手法として、動き、色、匂い、味等で、直接魚を誘うルアーフィッシングが知られている。ルアーフィッシングで使用されるルアーとして、金属のような比較的固い素材からなるハードルアーと、軟質樹脂のような比較的柔らかい素材からなるソフトルアーが存在する。
【０００３】
ソフトルアーとして、所定の肉厚を備えた頭部と、頭部から伸ばしたシート状のフィン部とを、プラスチック、合成ゴム等の人工素材で一体成形したものが知られている（特許文献１参照）。しかしながら、人工素材からなるため、泳動時のソフトルアーの動き、ソフトルアーにより生じる水流等はどうしても不自然となる。特許文献１に記載のソフトルアーでは、フィン部に、長さ方向に対して直角に多数のリブが形成されているものの、リブの形状及び配置が規則的であるため、ソフトルアーの動き、水流等の不自然さを解消するには至っていない。また、魚がソフトルアーを食べてしまった場合、魚の体内に人工素材が取り込まれてしまうため、環境に対する悪影響が懸念される。
【０００４】
人工素材でなく、天然素材からなるソフトルアーとして、豚皮を原料としたものが知られている（特許文献２参照）。このソフトルアーでは、豚の原皮から脂肪分を除去して得た皮組織を粉砕して粒状もしくは粉末物とし、たんぱく質、リン酸塩、多糖質等から選ばれたゲル化用添加物と混練した後、加熱及び成形することによってシート状に加工される。このソフトルアーにおいては、頭部及びフィン部は、同じ厚さで形成される。
【先行技術文献】
【特許文献】
【０００５】
【特許文献１】特開平１０−１５５３９２号公報
【特許文献２】特開２００８−２８９４３５号公報
【発明の概要】
【発明が解決しようとする課題】
【０００６】
しかし、特許文献２に記載のソフトルアーであっても、豚皮を原料としているものの、皮組織を粉砕して添加物と混練された人工組織であるため、泳動時のソフトルアーの動き、ソフトルアーにより生じる水流等は、依然として不自然である。
【０００７】
本発明は、上記事情に鑑みてなされたものであり、泳動時の動きをより自然なものに近づけることができるソフトルアー及びその製造方法を提供することを目的とする。
【課題を解決するための手段】
【０００８】
上記目的を達成するため、本発明では、表面及び裏面を有するソフトルアーであって、所定厚さで形成された内面組織と、前記内面組織の組織表面に不規則に形成された複数の突起組織と、を含む動物の消化器からなり、前記表面の少なくとも一部を、前記複数の突起組織が形成されている状態の前記内面組織の前記組織表面としたソフトルアーが提供される。
【０００９】
このソフトルアーによれば、動物の消化器における内面組織及び各突起組織の天然組織をそのまま利用しているため、人工組織のものと比べて、泳動時のソフトルアーの動き、ソフトルアーにより生じる水流等は自然なものとなる。特に、各突起組織は互いに異なる形状を呈するとともに不規則に配列されているため、各突起組織に起因して生じる泳動時のソフトルアーの動き及び水流をより自然なものに近づけることができる。
【００１０】
上記ソフトルアーにおいて、前記動物の消化器は、前記内面組織の組織裏面側に壁本体組織を有し、前記裏面の少なくとも一部を、前記壁本体組織の露出面としてもよい。
【００１１】
このソフトルアーによれば、裏面の少なくとも一部を壁本体組織の露出面とすることにより、当該箇所の厚さを、内面組織の厚さに壁本体組織の厚さを加えた厚さとすることができる。
【００１２】
上記ソフトルアーにおいて、厚肉部と、前記厚肉部と連続的に形成され前記厚肉部より薄い薄肉部と、を備え、前記厚肉部は、少なくとも前記壁本体組織及び前記内面組織を含んで構成され、前記薄肉部は、少なくとも前記内面組織及び前記各突起組織を含んで構成され、前記厚肉部及び前記薄肉部は、少なくとも前記内面組織が連続的に形成されていてもよい。
【００１３】
このソフトルアーによれば、厚肉部を壁本体組織及び内面組織を含んで構成し、薄肉部を内面組織及び各突起組織を含んで構成するとともに、厚肉部及び薄肉部を内面組織で連続的に形成することにより、組織を損なうことなく、消化器の構成を利用して、厚肉部と薄肉部を一体に形成することができる。
【００１４】
上記ソフトルアーにおいて、前記各突起組織は、薄膜状に形成されることが好ましい。
【００１５】
このソフトルアーによれば、各突起組織が薄膜状に形成されていることから、薄肉部及び各突起組織は互いに独立して動くことができ、各突起組織が不規則に形成されていることと相俟って、泳動時のソフトルアーの動き及び水流がより複雑となり、より自然に近いものとなる。
【００１６】
上記ソフトルアーにおいて、前記動物の消化器は、牛の胃であることが好ましい。
【００１７】
このソフトルアーによれば、一般的に食用に供されない牛の胃の内面側を利用して作製することができる。従って、食肉工場等で廃棄される部位を利用することができ、牛の胃を無駄なく利用することができる。
【００１８】
上記ソフトルアーにおいて、前記内面組織及び前記各突起組織は、皮膜が除去されていることが好ましい。
【００１９】
このソフトルアーによれば、比較的硬質な皮膜が除去されていることから柔軟性が向上し、泳動時におけるより滑らかな動きが実現される。また、黒色を呈する皮膜が除去されることで、白色の内面組織及び各突起組織を露出させることができ、必要に応じて任意の色に着色をすることができる。
【００２０】
また、本発明では、上記ソフトルアーの製造方法であって、前記牛の胃の前記皮膜を湯むきによって除去し、前記牛の胃の柔軟性を向上させる柔軟性付与工程と、前記柔軟性付与工程にて前記皮膜が除去された前記牛の胃を、所定の温度でボイル処理をして耐久性を向上させる耐久性付与工程と、を含むソフトルアーの製造方法が提供される。
【００２１】
このソフトルアーの製造方法によれば、牛の胃の皮膜は湯むきにより除去される。この後、柔軟性が付与された牛の胃は、ボイル処理をされることにより若干収縮し、耐久性が付与される。これにより、ソフトルアーに柔軟性と耐久性の両方を付与することができる。
【００２２】
上記ソフトルアーの製造方法において、前記柔軟性付与工程の後、前記耐久性付与工程の前に、前記皮膜が除去された前記牛の胃に軟化剤を添加する軟化加工工程を含むことが好ましい。
【００２３】
このソフトルアーの製造方法によれば、ソフトルアーに軟化剤が添加されるので、よりソフトで自然な動きが実現される。
【００２４】
上記ソフトルアーの製造方法において、前記耐久性付与工程の後、所定の型を用いて前記牛の胃の型抜きを行う型抜き工程と、前記型抜き工程の後、前記薄肉部の部分の前記壁本体組織の少なくとも一部を除去する薄肉化工程と、を含むことが好ましい。
【００２５】
このソフトルアーの製造方法によれば、型抜き工程において厚肉部と薄肉部の形状が成型され、薄肉化工程において壁本体組織の少なくとも一部を除去して薄肉部の厚さが調整される。
【発明の効果】
【００２６】
本発明によれば、泳動時の動きをより自然なものに近づけることができる。
【図面の簡単な説明】
【００２７】
【図１】本発明の一実施形態を示すソフトルアーの平面図である。
【図２】ソフトルアーの側面図である。
【図３】ソフトルアーの底面図である。
【図４】ソフトルアーの製造工程を示すチャートである。
【図５】使用状態を示すソフトルアーの説明図である。
【図６】使用状態を示すソフトルアーの説明図である。
【図７】変形例を示すソフトルアーの平面図である。
【図８】変形例を示すソフトルアーの側面図である。
【図９】変形例を示すソフトルアーの底面図である。
【図１０】変形例を示すソフトルアーの側面図である。
【発明を実施するための形態】
【００２８】
図１から図６は本発明の一実施形態を示し、図１はソフトルアーの平面図、図２はソフトルアーの側面図、図３はソフトルアーの底面図、図４はソフトルアーの製造工程を示すチャート、図５及び図６は使用状態を示すソフトルアーの説明図である。
【００２９】
図１に示すように、このソフトルアー１００は、表面及び裏面を有するシート状に形成され、釣り針２００を引っ掛けるための厚肉部１１０と、厚肉部１１０と連続的に形成され厚肉部１１０より薄い薄肉部１２０と、を備えている。図２に示すように、ソフトルアー１００の表面１３０には、互いに異なる形状の複数の突起組織１４０が設けられている。各突起組織１４０は、薄膜状に形成され、幅寸法及び長さ寸法に分布があるものの、長さ寸法についてはおおむね厚肉部１１０の厚さ寸法よりも大きくなっている。また、ソフトルアー１００の表面１３０上における単位面積あたりの各突起組織１４０の個数にも分布がある。本実施形態においては、図１に示すように、各突起組織１４０を表面１３０に沿って同じ方向へ寝かせた状態とすると、平面視にて表面１３０が隠れた状態となる。尚、必ずしも表面１３０の全部分が各突起組織１４０により覆われる必要はない。
【００３０】
このソフトルアー１００は、壁本体組織１５０と、壁本体組織１５０の内面側に所定の厚さで形成された内面組織１６０と、内面組織１６０の組織表面に不規則に形成された複数の突起組織１４０と、を含む、動物の消化器からなる。従って、各突起組織１４０は、一般的な皮膚組織の毛とは異なり、吸収のために内部に血管等が配置されている。動物の消化器は食肉用家畜の消化器が好ましく、本実施形態においては牛の第１胃である。牛の第１胃では、内面組織１６０の厚さは例えば１ｍｍ以上５ｍｍ以下であり、壁本体組織１５０の厚さは例えば５ｍｍ以上１５ｍｍ以下である。従って、各突起組織１４０を除いたソフトルアー１００の厚さは、１ｍｍ以上２０ｍｍ以下の範囲で適宜調整される。尚、未加工の状態では各突起組織１４０の組織表面には皮膜が形成されているが、本実施形態においては各突起組織１４０の皮膜は除去されている。図２に示すように、厚肉部１１０は壁本体組織１５０、内面組織１６０及び突起組織１４０からなり、薄肉部１２０は内面組織１６０及び突起組織１４０からなる。厚肉部１１０及び薄肉部１２０は、内面組織１６０及び突起組織１４０が連続的に形成されている。
【００３１】
図３に示すように、ソフトルアー１００は所定方向に延びて形成され、長手方向一端側に厚肉部１１０が配置される。すなわち、ソフトルアー１００の裏面における厚肉部１１０の部分は、壁本体組織１５０の露出面となっている。このように、裏面の少なくとも一部を壁本体組織１５０の露出面とすることにより、当該箇所の厚さを、内面組織１６０の厚さに壁本体組織１５０の厚さを加えた厚さとすることができる。そして、厚肉部１１０の長手方向他端から薄肉部１２０が長手方向他方へ向かって延びている。厚肉部１１０の一端側は、平面視にて半円部をなし、厚肉部１１０の他端側は、平面視にて長手方向他方へ向かって幅寸法が小さくなる台形部をなしている。
【００３２】
薄肉部１２０は、厚肉部１１０の台形部１１２の短辺部分から長手方向他方へ延びる。図３に示すように、本実施形態においては、薄肉部１２０は、幅方向中央に長手方向へ延びる切り込み部１２１を有し、切り込み部１２１により分割された２つの薄肉片１２２が互いに独立して泳動可能となっている。また、各薄肉片１２２は、幅方向外端が外側へ向かって凸となるよう形成される。
【００３３】
以上のように構成されたソフトルアー１００の製造方法について図４を参照して説明する。
図４に示すように、まず、未加工の牛の胃を準備する（材料準備工程：Ｓ１）。この牛の胃は、壁本体組織１５０の内面側と、内面組織１６０及び突起組織１４０を含んでいればよい。尚、この牛の胃は未加工であるので、内面組織１６０及び突起組織１４０の組織表面には黒色かつ硬質の皮膜が形成されている。ここで、食用として供されるのは壁本体組織１５０であり、食肉工場等で壁本体組織１５０の食用部分を除去された内面側の部位を利用すれば、ソフトルアー１００に必要な部分を準備することができる。
【００３４】
次に、牛の胃の皮膜を湯むきによって除去し、牛の胃の柔軟性を向上させる（柔軟性付与工程：Ｓ２）。このとき、黒色を呈する皮膜が除去されることで、白色の内面組織及び各突起組織が露出し、任意の色に着色可能な状態となる。この後、皮膜が除去された牛の胃に軟化剤を添加する（軟化加工工程：Ｓ３）。ここで、軟化剤は任意であるが、例えばｐＨ調整剤、食塩等を用いることができる。ｐＨ調整剤としては、例えば、炭酸ナトリウム、ＤＬ−リンゴ酸ナトリウム等を挙げることができる。尚、この軟化加工工程は、適宜省略することができる。
【００３５】
軟化剤を添加した後、牛の胃に対して、所定の温度でボイル処理を施して耐久性を向上させる（耐久性付与工程：Ｓ４）。本実施形態においては、ボイル処理は、７５℃以上８５℃以下で行われる。このとき、柔軟性が付与されていた牛の胃は、若干収縮してボイル処理前と比べて硬くなる。本実施形態においては、ボイル処理前に軟化剤が添加されているので、ボイル処理後であっても牛の胃は十分に柔らかい。
【００３６】
この後、所定の型を用いて牛の胃の型抜きを行う（型抜き工程：Ｓ５）。これにより、ソフトルアー１００は、平面視の形状が成型された状態となる。そして、薄肉部１２０の部分の壁本体組織１５０を除去する（薄肉化工程：Ｓ６）。これにより、ソフトルアー１００が完成する。本実施形態においては、薄肉部１２０の壁本体組織１５０は全て除去されるが、所定厚さだけ壁本体組織１５０を残存させてもよい。また、薄肉化工程を行うタイミングは任意に変更することができ、型抜き工程の直前に行うこともできるし、材料準備工程の直後に行うこともできる。この後、ソフトルアー１００は、食用色素等を用いて、必要に応じて任意の色に着色される。完成したソフトルアー１００は、所定の保存液に浸された状態で瓶詰め等された状態で出荷される。
【００３７】
このソフトルアー１００によれば、図５に示すように、厚肉部１１０に釣り針２００が引っ掛けられて使用され、泳動時に厚肉部に追従して薄肉部１２０がひらひらと動く。尚、図５にはソフトルアー１００が単独で使用される状態を示しているが、図６に示すように他のルアー３００と組み合わせての使用も可能である。ここで、ソフトルアー１００は、動物の消化器における内面組織１６０及び各突起組織１４０の天然組織をそのまま利用しているため、人工組織のものと比べて、泳動時のソフトルアー１００の動き、ソフトルアー１００により生じる水流等は自然なものとなる。特に、各突起組織１４０は互いに異なる形状を呈するとともに不規則に配列されているため、各突起組織１４０に起因して生じる泳動時のソフトルアー１００の動き及び水流をより自然なものに近づけることができる。
【００３８】
また、このソフトルアー１００によれば、各突起組織１４０が薄膜状に形成されていることから、薄肉部１２０及び各突起組織１４０は互いに独立して動くことができ、各突起組織１４０が不規則に形成されていることと相俟って、泳動時のソフトルアー１００の動き及び水流がより複雑となり、より自然に近いものとなる。さらに、このソフトルアー１００によれば、比較的硬質な皮膜が除去されていることから柔軟性が向上し、泳動時におけるより滑らかな動きが実現される。さらにまた、このソフトルアー１００によれば、ボイル処理により耐久性が付与されており、柔軟性を有しながらも耐用年数、耐用回数等の向上が図られている。尚、このソフトルアー１００によれば、軟化剤が添加されているので、よりソフトで自然な動きが実現される。
【００３９】
また、このソフトルアー１００は動物の消化器からなるので、魚に食べられても、魚の体内に取り込まれるのは天然素材であり、環境に対する悪影響を抑制することができる。特にこのソフトルアー１００は牛の第１胃からなり、一般的に食用に供されない牛の胃の内壁表面側を利用して作製することができる。従って、食肉工場等で廃棄される部位を利用することができ、牛の胃を無駄なく利用することができる。
【００４０】
さらに、厚肉部１１０を壁本体組織１５０及び内面組織１６０を含んで構成し、薄肉部１２０を内面組織１６０及び各突起組織１４０を含んで構成するとともに、厚肉部１１０及び薄肉部１２０を内面組織１６０で連続的に形成することにより、組織を損なうことなく、消化器の構成を利用して、厚肉部１１０と薄肉部１２０を一体に形成することができる。
【００４１】
尚、前記実施形態においては、ソフトルアー１００を牛の第１胃から構成したものを示したが、壁本体組織１５０、内面組織１６０及び各突起組織１４０を含んでいれば、牛の第２胃、第３胃等から構成してもよいし、牛以外の動物の胃、腸等から構成してもよい。
【００４２】
また、前記実施形態においては、各突起組織１４０が表面１３０に全面的に形成されているソフトルアー１００を示したが、各突起組織１４０はソフトルアー１００の表面の少なくとも一部に形成されていればよく、少なくとも薄肉部１２０に形成されていることが好ましい。
【００４３】
また、前記実施形態においては、薄肉部１２０が２つの薄肉片１２２に分割されたものを示したが、薄肉部１２０が分割されない構成としてもよいし、例えば薄肉部１２０を短冊状とするなど、薄肉部１２０が３つ以上に分割される構成とすることもできる。
【００４４】
また、前記実施形態においては、厚肉部１１０及び薄肉部１２０を有し、厚さを意図的に変化させるものを示したが、例えば図７から図９に示すように厚さがほぼ一定のソフトルアー２００とすることもできる。図８に示すように、このソフトルアー２００は、全体にわたって、壁本体組織１５０、内面組織１６０及び突起組織１４０から構成される。図７に示すように、このソフトルアー２００は、平面視にて、一端側から他端側へ向かって窄む直線状に形成される。図９に示すように、このソフトルアー２００は、分割等されていない。
さらに、例えば図１０に示すように、壁本体組織１５０を有さず、内面組織１６０及び突起組織１４０のみから構成されるソフトルアー３００とすることもできる。
【００４５】
以上、本発明の実施の形態を示したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００４６】
１００ ソフトルアー
１１０ 厚肉部
１２０ 薄肉部
１３０ 表面
１４０ 突起組織
１５０ 壁本体組織
１６０ 内面組織
２００ ソフトルアー
３００ ソフトルアー
Ｓ２ 柔軟性付与工程
Ｓ３ 軟化加工工程
Ｓ４ 耐久性付与工程
Ｓ５ 型抜き工程
Ｓ６ 薄肉化工程
【図１】
2018191562.tif 000003
【図２】
2018191562.tif 000004
【図３】
2018191562.tif 000005
【図４】
2018191562.tif 000006
【図５】
2018191562.tif 000007
【図６】
2018191562.tif 000008
【図７】
2018191562.tif 000009
【図８】
2018191562.tif 000010
【図９】
2018191562.tif 000011
【図１０】
2018191562.tif 000012